(57)【要約】【課題】構内通信回線では、アナログ電話方式、ディジタル電話方式、ＩＳＤＮ方式、ＡＤＳＬ方式などが混在して利用されることがある。またこれらのうちの一つの方式が他の方式に変更される場合がある。それぞれの方式について対応する個別の配線を行い個別の端子を設ける必要があるから費用や長い工事期間がかかった。【解決手段】４個の６極モジュラージャック（１、２、３、４）および１個の８極モジュラージャック（５）を設け、６極モジュラージャックと８極モジュラージャックとの間をプリント配線などにより固定的に接続する中継端子を設けることにより、複数の方式に対して個別配線を設ける、配線替えをするなどなく柔軟に対応することができる。【選択図】  図１
2004194258.tif 000002
【特許請求の範囲】
【請求項１】
第１ないし第４の６極モジュラージャック（１１、１２、１３、１４）および１個の８極モジュラージャック（１５）を備え、
前記第１ないし第４のモジュラージャック（１１、１２、１３、１４）のそれぞれは、その２番端子と３番端子、その４番端子と５番端子がそれぞれ電気的に同電位に接続され、
前記８極モジュラージャック（１５）の１番端子と前記第１の６極モジュラージャック（１１）の４番端子、および前記８極モジュラージャック（１５）の２番端子と前記第１の６極モジュラージャック（１１）の３番端子とがそれぞれ電気的に同電位に接続され、
前記８極モジュラージャック（１５）の３番端子と前記第２の６極モジュラージャック（１２）の４番端子、および前記８極モジュラージャック（１５）の６番端子と前記第２の６極モジュラージャック（１２）の３番端子とがそれぞれ電気的に同電位に接続され、
前記８極モジュラージャック（１５）の４番端子と前記第３の６極モジュラージャック（１３）の３番端子、および前記８極モジュラージャック（１５）の５番端子と前記第３の６極モジュラージャック（１３）の４番端子とがそれぞれ電気的に同電位に接続され、
前記８極モジュラージャック（１５）の７番端子と前記第４の６極モジュラージャック（１４）の４番端子、および前記８極モジュラージャック（１５）の８番端子と前記第４の６極モジュラージャック（４）の３番端子とがそれぞれ電気的に同電位に接続された
ことを特徴とする分岐モジュラージャック。
【請求項２】
前記６極モジュラージャック（１１、１２、１３、１４）は、規格品ＲＪ１１であり、前記８極モジュラージャック（１５）は規格品ＲＪ４５である請求項１記載の分岐モジュラージャック。
【請求項３】
前記６極モジュラージャック（１１、１２、１３、１４）および前記８極モジュラージャック（１５）は、その各電極ピンが一つのプリント基板に挿通され、このプリント基板の表面に形成された電極パターンにより各端子間の必要な電気的接続が施された請求項２記載の分岐モジュラージャック。
【請求項４】
前記８極モジュラージャック（１５）および前記６極モジュラージャック（１１、１２、１３、１４）のすべてが、そのプラグ挿入側の表面が同一平面を形成するように配置された請求項３記載の分岐モジュラージャック。
【請求項５】
前記６極モジュラージャック（１１、１２、１３、１４）のプラグ挿入側の表面が同一平面を形成するように配置され、前記８極モジュラージャック（１５）のプラグ挿入側の表面が前記同一平面とは別の面になるように配置された請求項３記載の分岐モジュラージャック。
【請求項６】
請求項４または５記載の分岐モジュラージャックを複数ｎ個重ねてユニット化した分岐モジュラージャックのユニット。
【請求項７】
ｎ＝１２である請求項６記載の分岐モジュラージャックのユニット。
【発明の詳細な説明】
【０００１】
【発明の属する技術分野】
本発明は、構内通信回線の接続に利用する。本発明は、複数の通信方式に共通に利用する構内通信回線の端子構造に関する。本発明は、複数の方式が混在する通信回線、あるいは一つの方式から別の方式に切替えが行われる通信回線に利用する。
【０００２】
【従来の技術】
屋内で使用する電話機、ファクシミリ装置、通信機能を備えたコンピュータ装置、メッセージ録音機、その他の通信装置には、有線方式で通信網に接続するために、先端にモジュラープラグ（オス側）を接続したケーブルが接続される。一方、建物の壁面や柱の表面その他に端子板やローゼットなどが取り付けられ、その端子板やローゼットには上記プラグを挿入接続するモジュラージャック（メス側）が設けられている。そしてこのモジュラージャックには、所定の規則に適合する屋内ケーブルを利用して、屋外から導入される電話回線、内線電話回線、その他各種の通信回線が接続される。ジャックと内線電話交換機との間や、モジュラージャックと屋外通信線との間などの接続は、建造物の壁内や天井裏などに設けた配管を利用するなど、一般の電話機やコンピュータの利用者がその設置工事を行うことは技術的にも困難であり、一定の資格を有する工事業者が行うように定められている。
【０００３】
ふるくは電話回線はアナログ回線のみであり、上記のように使用するモジュラージャックおよびモジュラープラグの規格は原則的に一つの種類に統一されていた。ところが近年、電話回線に電話以外の各種信号が伝送されるようになり、また信号の種類はアナログ信号に限らず、複数の種類のディジタル信号やアナログ信号の伝送帯域外の周波数帯を使用するｘＤＳＬ（ｘ−Ｄｉｇｉｔａｌ  Ｓｕｂｓｃｒｉｂｅｒ  Ｌｉｎｅ，ディジタル加入者線）信号などが利用されるようになった。これに伴い、使用するモジュラージャックおよびモジュラープラグの規格が多数種類になった。なお、上記ｘＤＳＬの代表的な方式はＡＤＳＬ（Ａｓｙｍｍｅｔｒｉｃａｌ  Ｄｉｇｉｔａｌ  Ｓｕｂｓｃｒｉｂｅｒ  Ｌｉｎｅ  、非常対称ディジタル加入者線）  であり、これが急速に普及拡大している。また上記ディジタル信号の方式としては、ＩＳＤＮ（Ｉｎｔｅｇｒａｔｅｄ  Ｓｅｒｖｉｃｅ  Ｄｉｇｉｔａｌ  Ｎｅｔｗｏｒｋ、統合サービス・ディジタル網）  方式が広く普及した。
【０００４】
【発明が解決しようとする課題】
従来のアナログ電話方式を新しいディジタル方式に変更すると、屋内配線としては、多くの場合に、アナログ回線のみに利用するように設計され施工された屋内配線を変更することが必要になる。利用形態によっては、たんに旧方式を新方式に変更するだけでなく、旧方式を継続的に使いながら新方式を併用できるように増設する場合もある。また近年の通信方式の変遷は急速であり、たとえばＩＳＤＮ方式を導入していくらも年月が経たないうちに、ＩＳＤＮ方式を撤去してＡＤＳＬ方式に変更する、あるいはＩＳＤＮ方式に加えてＡＤＳＬ方式を追加して導入するなどが行われている。
【０００５】
このような方式の変更や追加のたび毎に、屋内配線の変更や増設が行わなければならない。このときには、通信回線用の配管内の配線を入れ替える、あるいは配管そのものを交換する、などの工事が必要になる。同時に屋内通信回線に接続されるジャックについてもそれぞれの方式に適合するモジュラージャックに設置換えする、あるいはそれぞれの方式に適合するモジュラージャックを追加設置するなどの工事が必要になる。
【０００６】
本発明は、このような背景に行われたものであって、複数の通信方式に対して共用することができる接続端子を提供することを目的とする。本発明は、利用する通信方式の変更または追加にともなう屋内配線や端子の変更または増設を省くことができる経済的な装置を提供することを目的とする。本発明は、利用する通信方式の変更または追加に要する工事期間を短縮する装置を提供することを目的とする。本発明は、利用する通信方式を変更する、あるいは追加する場合に、屋内配線および端子の追加を経済的に行うことができる屋内配線用の接続端子を提供することを目的とする。本発明は、利用する通信方式の変更あるいは増設に際して、利用者が電話機その他通信装置を接続するためのモジュラージャックを変更する必要がない、あるいは変更範囲を限定することができる屋内配線用の接続端子を提供することを目的とする。本発明は、利用する通信方式の変更や増設に際して、屋内通信回線を収容する管路や配線の変更あるいは追加をなくする、あるいは小さくする経済的な接続端子を提供することを目的とする。
【０００７】
【課題を解決するための手段】
本発明は、第１ないし第４の６極モジュラージャック（１１、１２、１３、１４）および１個の８極モジュラージャック（１５）を備え、
前記第１ないし第４のモジュラージャック（１１、１２、１３、１４）のそれぞれは、その２番端子と３番端子、その４番端子と５番端子がそれぞれ電気的に同電位に接続され、
前記８極モジュラージャック（１５）の１番端子と前記第１の６極モジュラージャック（１１）の４番端子、および前記８極モジュラージャック（１５）の２番端子と前記第１の６極モジュラージャック（１１）の３番端子とがそれぞれ電気的に同電位に接続され、
前記８極モジュラージャック（１５）の３番端子と前記第２の６極モジュラージャック（１２）の４番端子、および前記８極モジュラージャック（１５）の６番端子と前記第２の６極モジュラージャック（１２）の３番端子とがそれぞれ電気的に同電位に接続され、
前記８極モジュラージャック（１５）の４番端子と前記第３の６極モジュラージャック（１３）の３番端子、および前記８極モジュラージャック（１５）の５番端子と前記第３の６極モジュラージャック（１３）の４番端子とがそれぞれ電気的に同電位に接続され、
前記８極モジュラージャック（１５）の７番端子と前記第４の６極モジュラージャック（１４）の４番端子、および前記８極モジュラージャック（１５）の８番端子と前記第４の６極モジュラージャック（４）の３番端子とがそれぞれ電気的に同電位に接続されたことを特徴とする。
【０００８】
上記括弧内の数字は、あとから説明する実施例の図面参照用の数字である。各モジュラージャックの○番端子と表した端子番号は、モジュラージャックをプラグ挿入側から見たときに、その端子番号は右から順に付された番号である。これは屋内配線の工事部品で常用されている番号をそのまま利用する。
【０００９】
前記６極モジュラージャック（１１、１２、１３、１４）として、市販されている規格品ＲＪ１１を採用し、前記８極モジュラージャック（１５）として、市販されている規格品ＲＪ４５を採用することがよい。
【００１０】
このような構成により、前記８極モジュラージャック（１５）には、８極プラグを挿入し、その８極プラグが接続された８極（４対）ケーブルは、汎用されているＩＥＥＥ規格のイーサネット（Ｅｔｈｅｒｎｅｔ）（登録商標）用のケーブルを使用することができる。イーサネット用のケーブルは、適当なハブを介してＩＰ（Ｉｎｔｅｒｎｅｔ  Ｐｒｏｔｏｃｏｌ）サーバに接続することができるし、イーサネットはＰＢＸ（Ｐｒｉｖａｔｅ  Ｂｒａｎｃｈ  Ｅｘｃｈａｎｇｅ，  内線交換）に接続することができるし、ＰＢＸは標準方式にしたがって公衆通信網に接続することができる。
【００１１】
また６極モジュラージャック（１１、１２、１３、１４）については、その３番端子と４番端子の一対を利用することによりアナログ電話機に接続することが可能であり、その２番端子ないし５番端子の４線を利用することによりディジタル電話機（ＩＳＤＮ）に接続することが可能である。さらに６極モジュラージャック（１１、１２、１３、１４）の２番端子ないし５番端子の４線を利用することにより、パーソナルコンピュータのイーサネット接続が可能になる。
【００１２】
前記６極モジュラージャック（１１、１２、１３、１４）および前記８極モジュラージャック（１５）は、その各電極ピンが一枚のプリント基板に挿通され、このプリント基板の表面（表面または裏面）に形成された電極パターンにより各端子間の必要な電気的接続が施された構成とすることにより、堅固な構造な量産品とすることができるから、本発明のモジュラージャックを安価に提供することができる。
【００１３】
利用の形態にしたがって、各モジュラージャック（１１、１２、１３、１４）のプラグ挿入側の表面が同一平面を形成するように配置することができるし、前記６極モジュラージャック（１１、１２、１３、１４）のプラグ挿入側の表面が同一平面を形成するように配置され、前記８極モジュラージャック（１５）のプラグ挿入側の表面がその同一平面とは別の面になるように配置することもできる。
【００１４】
上記の分岐モジュラージャックを複数ｎ個重ねてユニット化した分岐モジュラージャックのユニットを構成することができる。ｎ＝１２として４８回線用の分岐モジュラージャックのユニットとすることができる。
【００１５】
【発明の実施の形態】
本発明の実施例図面を参照してさらに詳しく説明する。図１は本発明実施例装置の基本接続回路図である。これは、４個の６極モジュラージャック１１、１２、１３、１４と１個別の８極モジュラージャック１５との間の電気的な接続を示す。図３に８極モジュラージャック１５の正面図を示す。この８極モジュラージャックは規格品ＲＪ４５を利用する。図３はその端子番号を説明する拡大図である。図４に６極モジュラージャックの正面図を示す。この６極モジュラージャックは規格品ＲＪ４５を利用する。
【００１６】
図１にもどって、６極モジュラージャック１１、１２、１３、１４のそれぞれは、その２番端子と３番端子、およびその４番端子と５番端子がそれぞれ電気的に同電位に接続される。そして８極モジュラージャック１５の１番端子と６極モジュラージャック１１の４番端子、および８極モジュラージャック１５の２番端子と６極モジュラージャック１１の３番端子とをそれぞれ電気的に同電位に接続する。同様に、８極モジュラージャック１５の３番端子と６極モジュラージャック１２の４番端子、および８極モジュラージャック１５の６番端子と６極モジュラージャック１２の３番端子とをそれぞれ電気的に接続し、８極モジュラージャック１５の４番端子と６極モジュラージャック１３の３番端子、および８極モジュラージャック１５）の５番端子と６極モジュラージャック１３の４番端子とをそれぞれ電気的に同電位に接続し、８極モジュラージャック１５の７番端子と６極モジュラージャック１４の４番端子、および８極モジュラージャック１５の８番端子と６極モジュラージャック４の３番端子とをそれぞれ電気的に同電位に接続する。
【００１７】
表示されているＬ１ないしＬ４は回路記号であり、回路Ｌ１およびＬ２を一対の回線として利用することにより、アナログ電話回線（Ａ）に接続することができる。回路Ｌ４およびＬ２を一対の回線として利用することにより、ディジタル電話回線（Ｄ）に接続することができる。
【００１８】
各端子を電気的に上記のように接続するにはプリント基板を利用する。モジュラージャックの各端子ピンをプリント基板に形成した孔に挿通し、そのプリント基板の裏面に形成した導体パターンにより所定の電気的結合を行う。図６はそのプリント基板のイメージ図である。図６の四角枠内の数字は各モジュラージャックの端子番号であり、図示されている太線はプリント基板に形成する導体パターンである。
【００１９】
図７は本発明を室内端子（ローゼット型）として利用する形態の分解構造図である。図７（Ａ）はプリント基板２１に４個の６極モジュラージャック１１、１２、１３、１４および１個の８極モジュラージャック１５を取付けた構造を示す斜視図である。同図（Ｂ）はそのモジュラージャックを取付けたプリント基板を収容する台の構造斜視図である。同図（Ｃ）はプリント基板が上記台に収容された形態の斜視図である。同図（Ｄ）はカバーの斜視図である。同図（Ｅ）は組上げられた状態の斜視図である。この図（Ｅ）に示すローゼット型の室内端子２３は、室内の柱、壁、あるいは机の足などに取付けることができる。よく知られたように同図（Ｂ）に示す台の裏面に磁石片を取付けることにより、鉄製の家具の表面に吸着させることができる。
【００２０】
図８はユニット型端子として組み立てた本発明実施例斜視図である。この構造は図７（Ａ）で説明したプリント基板２１の実装構造体を１２個積み重ねて、これを一つの筐体に収容してユニット型端子２２としたものである。
【００２１】
図９に本発明実施例装置の利用形態の一例を示す。これは、アナログ電話回線（ＬＣ）およびディジタル電話回線（ＤＬＣ）が混在する構内電話交換設備（ＰＢＸ）の屋内配線に、本発明実施例装置を利用した形態である。上で説明したユニット型端子２２の４個の６極モジュラージャック１１〜１４に、内線電話回線（ＰＢＸ）をジャンパ線２４により接続する。この内線電話回線（ＰＢＸ）の一つはディジタル電話回線（ＤＬＣ）である。その６極モジュラージャック１１〜１４と相互に接続された８極モジュラージャック１５には、非シールド対線（ＵＴＰ，Ｕｎｓｈｉｅｌｄｅｄ  Ｔｗｉｓｔｅｄ  Ｐａｉｒ  Ｗｉｒｅ）２５の一端が接続される。その非シールド対線２５の他端は、上記ローゼット型端子２３の８極モジュラージャック１５に接続される。このローゼット型端子２３の各６極モジュラージャック１１〜１５には電話機２６、２７が接続される。電話機２６はアナログ電話機であり、電話機２７はディジタル電話機である。このようにアナログ電話機２６の回線とディジタル電話機２７の回線を区別することなく一つのローゼット型端子２３から接続することができる。
【００２２】
表示されているアナログ電話機２６については、その一部または全部をアナログ通信回線を利用するファクシミリ装置その他の通信装置、コンピュータ・インターフェースなどに換えて利用することができる。ディジタル電話機２７については、これをディジタル電話回線に接続可能な通信装置やコンピュータ装置に換えて利用することができる。
【００２３】
図１０はさらに本発明実施例装置の利用形態を説明する図である。内線電話交換機（ＰＢＸ，Ｐｒｉｖａｔｅ  Ｂｒａｎｃｈ  Ｅｘｃｈａｎｇｅ）  の内線側端子は、主配線盤（ＭＤＦ，Ｍａｉｎ  Ｄｉｓｔｒｉｂｕｔｉｎｇ  Ｆｒａｍｅ）を介して構内通信系に配線される。主配線盤（ＭＤＦ）には本発明実施例であるユニット型端子２２が利用される。主配線盤（ＭＤＦ）から、ケーブル２８を介して、ラック２９に設置された本発明実施例ユニット型端子２２に接続される。このユニット型端子２２から非シールド対線（ＵＴＰ）２５により多数のローゼット型端子に分配接続が行われる。またラックなどを利用することなくユニット型端子２２に接続することもできる。このケーブル２８には一般のＣＣＰ（Ｃｏｌｏｒ  Ｃｏｄｅｄ  Ｐｏｌｙｅｔｈｙｌｅｎｅ  Ｃａｂｌｅ，  色コード・ポリエチレン・ケーブル）が利用される。また主配線盤（ＭＤＦ）から非シールド対線（ＵＴＰ）により、本発明実施例のローゼット型端子２３に配線される。ローゼット型端子２３は、アナログ電話機２６およびディジタル電話機２７を混在して接続することができる。
【００２４】
【発明の効果】
本発明により、複数の通信方式に対して共用することができる接続端子を提供することができる。本発明により利用する通信方式の変更または追加にともなう屋内配線や端子の変更または増設を省くことができるから、変更または追加の工事を小さい費用でかつ短い工事期間で行うことができるようになる。本発明により、通信方式を変更する、あるいは追加する場合に、多くの場合に屋内配線および端子の変更や追加を行う必要がなくなるから、通信方式の追加や変更を経済的に行うことができる。
【図面の簡単な説明】
【図１】本発明実施例装置の端子間接続図。
【図２】８極モジュラージャックの正面図。
【図３】８極モジュラージャックの正面部分拡大図。
【図４】６極モジュラージャックの正面図。
【図５】６極モジュラージャックの正面部分拡大図。
【図６】本発明実施例装置のプリント基板パターンについてのイメージ図。
【図７】本発明実施例ローゼット型端子の分解構造図。
【図８】本発明実施例ユニット型端子の構造を示す斜視図。
【図９】本発明を実施した屋内配線の一例を示す図。
【図１０】本発明を実施した屋内配線について別の一例を示す図。
【符号の説明】
１、２、３、４、５、６、７、８  端子番号
１１、１２、１３、１４  ６極モジュラージャック
１５  ８極モジュラージャック
２１  プリント基板
２２  ユニット型端子
２３  ローゼット型端子
２４  ジャンパ線
２５  非シールド対線（ＵＴＰ）
２６  アナログ電話機
２７  ディジタル電話機
２８  ケーブル（ＣＣＰ）
２９  ラック
【図１】
2004194258.tif 000003
【図２】
2004194258.tif 000004
【図３】
2004194258.tif 000005
【図４】
2004194258.tif 000006
【図５】
2004194258.tif 000007
【図６】
2004194258.tif 000008
【図７】
2004194258.tif 000009
【図８】
2004194258.tif 000010
【図９】
2004194258.tif 000011
【図１０】
2004194258.tif 000012